【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
第１のマルチキャストストリームへのアクセスを提供するネットワークデバイスによって、インターネットプロトコルテレビジョン（ＩＰＴＶ）チャネルの第１のマルチメディアストリームに対するＩＰＴＶチャネル変更を制御する方法であって、前記チャネル変更が前記ネットワークデバイスに結合されたセットトップボックスによって開始され、
前記セットトップボックスから前記第１のマルチメディアストリームについての要求を受信するステップと、
前記ネットワークデバイスによって第２のマルチメディアストリームについての要求を送信するステップであって、
前記第２のマルチメディアストリームが前記第１のマルチメディアストリームと同じＩＰＴＶチャネルに対応し、前記第２のマルチメディアストリームが前記第１のマルチメディアストリームより低い解像度を有する、ステップと、
前記第２のマルチメディアストリームを受信するステップと、
前記第２のマルチメディアストリームを前記セットトップボックスに送信するステップと、
前記第１のマルチメディアストリームについての要求を送信するステップと、
前記第１のマルチメディアストリームを受信するステップと、
を含む、方法。
【請求項２】
前記第２のマルチメディアストリームをドロップするための要求を送信するステップを更に含む、請求項１に記載の方法。
【請求項３】
前記第２のマルチメディアストリームがキャッシングネットワークデバイスにキャッシュされている、請求項１に記載の方法。
【請求項４】
前記第２のマルチメディアストリームがピクチャインピクチャマルチメディアストリームである、請求項１に記載の方法。
【請求項５】
前記第１のマルチメディアストリームが、高精細マルチメディアストリーム及び標準精細マルチメディアストリームから成る群から選択される、請求項１に記載の方法。
【請求項６】
前記第１のネットワーク要素が、マルチキャストスヌーピングスイッチ及びマルチキャストルータから成る群から選択される、請求項１に記載の方法。
【請求項７】
前記第１のマルチメディアストリームが、マルチキャストストリーム及びユニキャストストリームから成る群から選択される、請求項１に記載の方法。
【請求項８】
前記ネットワークデバイスが前記セットトップボックスである、請求項１に記載の方法。
【請求項９】
前記第２のマルチメディアデバイスを送信する前記ステップが、
前記第２のマルチメディアストリームをバッファするステップと、
前記バッファした第２のマルチメディアストリームを復号するステップと、
前記復号した第２のマルチメディアストリームを前記セットトップボックスに結合された表示デバイスに出力するステップと、
を含む、請求項８に記載の方法。
【請求項１０】
前記第２のマルチメディアストリームの最初の受信フレームがＩフレームである、請求項１に記載の方法。
【請求項１１】
インターネットプロトコルテレビジョン（ＩＰＴＶ）チャネルの第１のマルチメディアストリームを受信するための要求を用いて、前記第１のマルチメディアストリームに対するＩＰＴＶチャネル変更を要求するセットトップボックスと、
前記セットトップボックスに結合され、前記第１のマルチメディアストリームへのアクセスを制御するネットワークデバイスであって、前記ネットワーク要素が、
マルチメディアストリーム要求構成要素であって、前記セットトップボックスから前記第１のマルチメディアストリームについての前記要求を受信する、前記マルチメディアストリーム要求構成要素と、
前記マルチメディアストリーム要求構成要素に結合され、第２のマルチメディアストリームについての要求を送信する低解像度要求構成要素であって、前記第２のマルチメディアストリームが前記第１のマルチメディアストリームと同じＩＰＴＶチャネルに対応し、前記第２のマルチメディアストリームが前記第１のマルチメディアストリームより低い解像度を有する、前記低解像度要求構成要素と、
低解像度受信構成要素であって、前記低解像度要求構成要素に結合され、前記第２のマルチメディアストリームを受信する、前記低解像度受信構成要素と、
低解像度送信構成要素であって、前記低解像度受信構成要素に結合され、前記第２のマルチメディアストリームを前記セットトップボックスに送信する、前記低解像度送信構成要素と、
高解像度要求構成要素であって、前記低解像度送信構成要素に結合され、前記第１のマルチメディアストリームについての要求を送信する、前記高解像度要求構成要素と、
高解像度受信構成要素であって、前記高解像度要求構成要素に結合され、前記第１のマルチメディアストリームを受信する、前記高解像度受信構成要素と、
を含む、前記ネットワークデバイスと、
を含む、ネットワーク。
【請求項１２】
前記第２のマルチメディアストリームがキャッシングネットワークデバイスにキャッシュされている、請求項１１に記載のネットワーク。
【請求項１３】
前記第２のマルチメディアストリームがピクチャインピクチャマルチメディアストリームである、請求項１１に記載のネットワーク。
【請求項１４】
前記第１のマルチメディアストリームが、高精細マルチメディアストリーム及び標準精細マルチメディアストリームから成る群から選択される、請求項１１に記載のネットワーク。
【請求項１５】
前記第１のネットワーク要素が、マルチキャストスヌーピングスイッチ及びマルチキャストルータから成る群から選択される、請求項１１に記載のネットワーク。
【請求項１６】
前記第２のマルチメディアストリームの最初の受信フレームがＩフレームである、請求項１１に記載のネットワーク。
【請求項１７】
インターネットプロトコルテレビジョン（ＩＰＴＶ）チャネルの第１のマルチメディアストリームに対するセットトップボックスによるアクセスを制御するように適合されたネットワーク要素であって、前記セットトップボックスが、前記ネットワーク要素に結合され、前記第１のマルチメディアストリームに対するＩＰＴＶチャネル変更を開始し、
前記セットトップボックスから前記第１のマルチメディアストリームについての前記要求を受信するためのマルチメディアストリーム要求構成要素と、
第２のマルチメディアストリームについての要求を送信するための低解像度要求構成要素であって、前記第２のマルチメディアストリームが前記第１のマルチメディアストリームと同じＩＰＴＶチャネルに対応し、前記第２のマルチメディアストリームが前記第１のマルチメディアストリームより低い解像度を有する、前記低解像度要求構成要素と、
前記第２のマルチメディアストリームを受信するための低解像度受信構成要素と、
前記第２のマルチメディアストリームを前記セットトップボックスに送信するための低解像度送信構成要素と、
前記第１のマルチメディアストリームについての要求を送信するための高解像度要求構成要素と、
前記第１のマルチメディアストリームを受信するための高解像度受信構成要素と、
を含む、ネットワーク要素。
【請求項１８】
前記第２のマルチメディアストリームがキャッシングネットワークデバイスにキャッシュされている、請求項１７に記載のネットワーク要素。
【請求項１９】
前記第２のマルチメディアストリームがピクチャインピクチャマルチメディアストリームである、請求項１７に記載のネットワーク要素。